(57)【特許請求の範囲】
【請求項１】
延長パイプに接続されている吸気ホースの吸気パイプが接続されるパイプ差込口を有する集塵室と、集塵室の空気を吸引する電動送風機を有する電動送風機室を内蔵した掃除機本体と、掃除機本体の底部に設けられ、電動送風機の排気を吹き出す吹出口と、掃除機本体の底部外周に設けられ、電動送風機の排気が排気吹出口より吹き出されたときに掃除機本体を浮上させる浮上空間を形成するスカート体と、掃除機本体の両側壁に回転自在に取り付けられた走行用車輪とを備えた電気掃除機において、
前記走行用車輪はその一部が前記スカート体の後端及び掃除機本体の下部後端から一部はみ出して取り付けられたことを特徴とする電気掃除機。
【請求項２】
前記掃除機本体のパイプ差込口の下方に前記掃除機本体の底部前方を覆うソリ部を設けたことを特徴とする請求項１記載の電気掃除機。
【請求項３】
前記吸気ホースに移動用操作ハンドルを着脱自在に取り付けたことを特徴とする請求項１又は２のいずれか記載の電気掃除機。
【請求項４】
前記延長パイプの把手付近と前記吸気ホースの一部とを保持する保持部材を設けたことを特徴とする請求項１又は２のいずれか記載の電気掃除機。
【発明の詳細な説明】
【０００１】
【発明の属する技術分野】
本発明は運転時に発生する排気圧力により掃除機本体を浮上させるようにした浮上式電気掃除機に関するものである。
【０００２】
【従来の技術】
図１３は例えば特開平６−３２７５８９号公報に開示されている従来の電気掃除機の要部の構成を示す断面図である。
図において、５１は掃除機本体であって、集塵室５２の後方に電動送風機５３が装備されている。５４は集塵室５２と電動送風機５３とを区画する仕切壁であって多数の通気孔５４ａが設けられている。
集塵室５２には接続ホースＨの差込口５５が設けられ、この差込口５５に通気性を有する紙製の集塵袋５６がセットされる。そして、電動送風機５３を起動すると、その吸引力により空気中の塵埃が接続ホースＨを通じて集塵袋５６に集塵され、更に電動送風機５３を通過した後は本体後壁に設けられた排気口５７から該掃除機本体５１の後方へ排気されるようになっている。図中、矢印は排気方向を示している。
【０００３】
また、掃除機本体１の後部には移動手段としての左右一対の車輪５８が本体外側面よりも下方へ突出する状態で取り付けられているとともに、前部中央には舵取ローラ５９が設けられており、機体を牽引すると、これら車輪５８及び舵取ローラ５９により掃除機本体５１を移動させられるようにしてある。６０は機体持ち運び用の把手である。
さらに、掃除機本体５１の底壁６１に排気吐出口６２が形成されており、この排気吐出口６２から下方、つまり床面へ向けて電動送風機５３の排気流が吹き出すようになっている。一方、掃除機本体５１の外底部には排気吐出口６２を取り巻くように環状のスカート６３、６４が二重に装着されている。
【０００４】
これらのスカート６３、６４はいずれも断面が内側に湾曲した円弧状となる形状に形成されており、内周側の第１スカート６３に対し、外側の第２スカート６４を長く形成して、第１スカート６３の下端が床面に接触していない場合にも常に第２スカート６４の下端が床面に接触するように構成されている。
また、底壁６１には複数個の排気流入口６５が第１、第２スカート６３、６４間に沿って穿設してあり、この排気流入口６５を掃除機本体５１内に形成された排気路６６を介して排気口６７に連通させてある。
【０００５】
従来の電気掃除機は上記のように構成されており、電動送風機５３を起動すると、その吸引力により空気中の塵埃が接続ホースＨを通じて集塵袋５６に集塵され、更に電動送風機５３を通過した後は掃除機本体５１の底壁６１に形成された排気吐出口６２から吹き出される。図中、矢印は排気方向を示している。
排気吐出口６２から吹き出した空気は、床面Ｃと底壁６１間における第１スカート６３に取り巻かれた空間より構成される排気圧力室６７で発生する排気圧を上昇させ、掃除機本体５１を浮上させる。この掃除機本体５１の浮上によって車輪６８及び舵取ローラ６９が床面Ｃから離れ、掃除機本体５１は僅かな牽引力によって容易に走行させる状態となる。
【０００６】
掃除機本体５１がさらに浮上して第１スカート６３と床面Ｃ間に隙間Ｇが生じると、排気圧力室６７内の空気は第１、第２スカート６３、６４間の環状空間６８に進入し、さらに排気流入口６５及び排気路６６を経て排気口５７から外部に排出され、掃除機本体５１の浮上高さが程良く維持される。また、第１スカート６３が浮上したときも第２スカート６４が床面Ｃと接触していることにより、排気圧力室６７内の塵埃が第２スカート６４により捕捉され、該塵埃の外部への飛散を防止し得る。
【０００７】
【発明が解決しようとする課題】
上記のような従来の電気掃除機では、電気送風機５３からの排気圧で掃除機本体５１が浮上し、車輪５８も床面Ｃから離れ、スムースな移動を行えるが、電動送風機５３の非運転時である例えば電気掃除機を使用するために室内の保管場所より清掃場所に掃除本体５１を移動させる、或いは掃除終了後に保管場所に移動させる等において、車輪５８が第１、第２スカート６３、６４の内方で、且つ第１、第２スカート６３、６４の下端より上方に装着されているために、第１、第２スカート６３、６４が床面Ｃを擦って摩耗しやすくなったり、床面Ｃの段差等に引っかかり、第１、第２スカート６３、６４が破れたりして、電動送風機５３の運転時である掃除時において、排気が第１、第２スカート６３、６４から漏れ、掃除機本体５１の浮上が困難となるような事態が生じるという問題があった。
【０００８】
かかる問題を解決するものとして図１４に示す特開平８−２９９２３０号公報に開示された浮上式のアップライト型電気掃除機が提案されている。
このアップライト型電気掃除機は、掃除機本体の下部に設けられている床ノズルを移動可能にするローラーを回転自在に支持するローラ支持部材は排気流の圧力を受ける受圧部を有し、受圧部に電動送風機の排気流の圧力が加わるとローラーが上方に移動し、受圧部に排気流の圧力が加わらないと弾性部材によってローラーが下方に強制的に移動するように構成されている。
従って、電動送風機の非運転時である例えば掃除機使用するために室内の保管場所より清掃場所に掃除機本体を移動させる、或いは掃除終了後に保管場所に移動させる等においては、弾性部材によってローラーが下方に強制的に移動させられているから、床ノズルの下端が床面を擦ったり、床面の段差等に引っかかり、床ノズルが壊れたりすることは解消された。
【０００９】
しかしながら、このような従来のアップライト型電気掃除機では、ローラ支持部材や受圧部や弾性部材を設けなければならず、構成が複雑になって高価になり、また電動送風機の運転時である掃除時において集塵袋が塵埃で一杯になって目詰まりを起こして排気流の圧力が低下した場合にはローラーが上方に移動しないため、排気が床ノズルの下端から漏れ、掃除機本体の浮上が困難となるような事態も生じるおそれがあるという問題が依然残されているものであった。
【００１０】
本発明は、このような問題点を解決するためになされたものであり、掃除機本体の底部外周にスカート体があっても、電気掃除機を使用しない運搬時にスカート体が邪魔になるず、床面を容易に走行させることができる電気掃除機を得ることを目的とする。
【００１１】
【課題を解決するための手段】
本発明に係る電気掃除機は、延長パイプに接続されている吸気ホースの吸気パイプが接続されるパイプ差込口を有する集塵室と、集塵室の空気を吸引する電動送風機を有する電動送風機室を内蔵した掃除機本体と、掃除機本体の底部に設けられ、電動送風機の排気を吹き出す吹出口と、掃除機本体の底部外周に設けられ、電動送風機の排気が排気吹出口より吹き出されたときに掃除機本体を浮上させる浮上空間を形成するスカート体と、掃除機本体の両側壁に回転自在に取り付けられた走行用車輪とを備えた電気掃除機において、前記走行用車輪はその一部が前記スカート体の後端及び掃除機本体の下部後端から一部はみ出して取り付けられているものである。
【００１２】
また、前記掃除機本体のパイプ差込口の下方に前記掃除機本体の底部前方を覆うソリ部を設けるようにしてもよい。
さらに、前記吸気ホースに移動用操作ハンドルを着脱自在に取り付けるようにしてもよい。
また、前記延長パイプの把手付近と前記吸気ホースの一部とを保持する保持部材を設けるようにしてもよい。
【００１３】
【発明の実施の形態】
実施の形態１．
図１は本発明の実施の形態１に係る電気掃除機の要部の構成を示す断面図、図２は同電気掃除機の構成を示す底面図、図３は同電気掃除機を走行させた状態を示す説明図である。
図において、１は掃除機本体、１ａは掃除機本体１の上部に設けられた本体移動用ハンドル、２は掃除機本体１の前部に設けられ、集塵袋３が収容される集塵室、４は掃除機本体１の後部前方に設けられ、電動送風機５を収容する電動送風機室、６は掃除機本体１の後部後方に設けられ、コードリール７を収容するコードリール室、８は掃除機本体１の後部上方に設けられ、制御基板９を収容する制御室である。
【００１４】
１０は集塵袋３の口部に取り付けられた台紙、１１は吸気ホース１２の後端に取り付けられた吸気パイプで、集塵室３のパイプ差込口３ａに接続されている。そして、集塵袋３の台紙１０を吸気パイプ１１に嵌め付け、台紙１０の周縁を集塵室３に設けられた台紙受部３ｂに係合させたときに集塵袋３が吸気パイプ１１にシール状態に取り付けられる。なお、吸気ホース１２の先端に後述する延長パイプ１３が接続され、その延長パイプ１３の先端に後述する床用吸込具１４が接続されている。
【００１５】
１５は集塵室３と電動送風機室５とを仕切り、吸気口１５ａを有する仕切壁、１６は電動送風機室５とコードリール室６を遮断する隔壁で、電動送風機５の排気をコードリール室６に送る連通口１７が設けられている。１８は電動送風機室５及びコードリール室６と制御室８を遮断する隔壁で、電動送風機５の排気を制御室８に送る連通口１９が設けられている。２０はコードリール室６の後部に設けられた第１の後排気口、２１は制御室８の後部に設けられた第２の後排気口である。２２は集塵室３の前部に設けられた前排気口である。２３はコードリール７に巻き付けられた電源コードである。
【００１６】
２５は掃除機本体１の底部の全体に設けられた扁平状の排気室で、その上側にコードリール室６と連通する連通口２５ａと集塵室３と連通する連通口２５ｂを有し、その下側の外周に所定間隔を置いて複数の浮上排気口２５ｃが設けられている。２６は排気室２５の直下でその底面の略全体に設けられた均圧室で、その中央部分は排気連通口２７を介して電動送風機室５と連通し、その底面外周に床面に排風を吹き出すために所定間隔を置いて複数の浮上排風出口２６ａが設けられている。
【００１７】
３０は掃除機本体１の底部に設けられた均圧室２５の外周全体にスカート保持具３１によって浮上排風出口２６ａを下側から覆うよう着脱自在に取り付けられた軟質材のスカート体、３２はパイプ差込口３ａの下方で均圧室２５の前方にスカート保持具３１に下端が係止され、上端側が排気室２５の底部前方を覆うソリ部である。
３５は掃除機本体１のコードリール室２８の側壁に回転自在に取り付けられた走行用車輪で、電動送風機５の非運転時に掃除本体１を走行させるために走行用車輪３５の一部が掃除機本体１の底部、即ち均圧室２６の底面からスカート体３０の長さより少し短い寸法分だけはみ出すと共に、掃除機本体１を傾斜させて走行させるために走行用車輪３５の一部が掃除機本体１の後端位置のスカート体３０から図２に示すｄ寸法だけはみ出して取り付けられている。
【００１８】
次に、本発明の実施の形態１の電気掃除機の動作を説明する。
電動送風機５を駆動すると、床用吸込み具１４から空気とともにゴミが吸い込まれ、延長パイプ１３、吸気ホース１２及び吸気パイプ１１を介して集塵袋３内にいき、集塵袋３でゴミが濾過された空気が電動送風機５を通過し、電動送風機５の排気口５ａから電動送風機室４に入る。
電動送風機室４に入った空気の一部は連通口１７を経てコードリール室６に入ると共に連通口１９を経て制御室８に入り、その後は第１及び第２後排気口２０、２１から外部に排出される。従って、コードリール室６内のコードリール７に巻き付けられている電源コード２３が冷却されると共に制御室８内の制御基板９が冷却される。
【００１９】
また、電動送風機室４に入った空気の残りは排気連通口２７を経て均圧室２５に入り、均圧室２５の浮上排風口２５ｃよりスカート体３０を押し広げ、スカート体３０を床面Ｃに圧接させた後床面Ｃに排出され、スカート体３０により流れが妨げられて一定の圧力が発生し、その圧力により掃除機本体１を持ち上げて均圧室２６の底面と床面Ｃとスカート体３０との間に浮上空間Ｓを作る。浮上空間Ｓを作った空気は浮上排気口２５ｃを経て排気室２５に入り、排気室２５に入った空気は連通口２５ａを経てコードリール室６に入ると共に連通口２５ｂを経て集塵室３に入り、その後は第２後排気口２１及び前排気口２２から外部に排出される。
【００２０】
この実施の形態１では、掃除機本体１のコードリール室２８の側壁に回転自在に取り付けられた走行用車輪３５の一部が掃除機本体１の底部、即ち均圧室２６の底面からスカート体３０の長さより少し短い寸法分だけはみ出すと共に掃除機本体１の後端位置のスカート体３０からはみ出すように取り付けられているから、電動送風機５の非運転時である例えば電気掃除機を使用するために室内の保管場所より清掃場所に掃除機本体１を移動させる、或いは掃除終了後に保管場所に移動させる等の場合に、例えば吸気ホース１２を手で持って掃除機本体１の前方を持ち上げて掃除機本体１を走行用車輪３５により走行させることにより、スカート対３０は床面Ｃに接触せず、走行用車輪３５のみが床面Ｃに接触するためにスカート体３０の摩耗等が生じない。
【００２１】
また、走行用車輪３５のみが床面Ｃに接触するため、図３に示すように床面Ｃに敷居等の段差Ｄがあっても、掃除機本体１は容易に乗り越えることができる。
更に、掃除機本体１のパイプ差込口３ａの下方で均圧室２５の前方にスカート保持具３１に下端が係止され、上端側が排気室２５の底部前方を覆うソリ部３２が設けられているから、均圧室２５の外周全体にスカート保持具３１によって垂下するよう取り付けられた軟質材のスカート体３０が掃除機本体１と床面Ｃに敷居等の段差Ｄとの間に挟まれたとしてもソリ部３２があるためにスカート体３０の破れや摩耗がなく、段差Ｄも確実に乗り越えることができる。
【００２２】
実施の形態２．
図４は本発明の実施の形態２に係る電気掃除機の吸気ホースの構成を示す平面図、図５は同電気掃除機の吸気ホースの構成を示す一部を切断した側面図、図６は同電気掃除機を走行させた状態を示す説明図である。
この実施の形態２は吸気ホース１２に移動用ハンドル４０を着脱自在に設けたものである。
その移動用操作ハンドル４０は内面に吸気ホース１２の凹凸と同様の凹凸を有する一対の略Ｕ字のホース取付具４１、４１と、一対のホース取付具４１、４１の両端にそれぞれ設けられ、ネジ穴４２ａを有する取付片４２と、一方のホース取付具４１の中央に突設された把手４３と、吸気ホース１２を取り囲むように取り付けられた一対の略Ｕ字のホース取付具４１、４１の両端にそれぞれ設けられた取付片４２、４２の整合されたネジ穴４２ａ、４２ａに螺合する固定ネジ４４とから構成されている。
【００２３】
この実施の形態２では、吸気ホース１２に把手４３を有する移動用操作ハンドル４０を設けているので、図６に示すように移動用操作ハンドル４０の把手４３を持って掃除機本体１の前方を持ち上げることにより、掃除機本体１を走行用車輪３５により簡単に走行させることができる。
また、移動用操作ハンドル４０は内面に吸気ホース１２の凹凸と同様の凹凸を有するので、吸気ホース８に移動用操作ハンドル４０が取り付けられている場合に移動用操作ハンドル４０の内面の凹凸と吸気ホース１２の凹凸とが嵌合しているため、移動用操作ハンドル４０の把手４３を持って掃除機本体１の前方を持ち上げても、その取付位置がずれるおそれはない。
さらに、この移動用操作ハンドル４０は吸気ホース８に固定ネジ４４の螺回操作によって着脱自在であるので、使用者の身長差に応じて吸気ホース１２に対して移動用操作ハンドル４０の取り付け位置を簡単に変えることができるため、使用者に対応させて掃除機本体１を走行用車輪３５により走行させることができる。
【００２４】
実施の形態３．
図７は本発明の実施の形態３に係る電気掃除機の延長パイプと吸気ホースの構成を示す平面図、図８は同電気掃除機の背面の構成を示す背面図、図９は同電気掃除機の掃除本体に延長パイプを係止させた状態を示す平面図、図１０は同電気掃除機の使用状態を示す説明図、図１１は同電気掃除機を走行させた状態を示す説明図、図１２は同電気掃除の吸気ホースの変形例の断面図である。
この実施の形態３は、延長パイプ１３の把手１３ａに吸気ホース１２の一部を保持する保持部材５０を設けたものである。
その保持部材５０は延長パイプ１３の把手１３ａ付近に取り付けた係留リング５１ａを有する環状止め具５１と、吸気ホース１２の略中間部に取り付けた鉤状係止片５２ａを有するホース取付環５２とから構成されている。
５３は掃除機本体１の上部で本体移動用ハンドル１ａの横にネジ５４で取り付けられ、延長パイプ１３の先端側を挟持する略Ｕ字状のパイプ挟持片である。
【００２５】
この実施の形態３では、延長パイプ１３の把手１３ａに吸気ホース１２の一部を保持する保持部材５０を設けたので、図１１に示すように延長パイプ１３の把手１３ａ付近に取り付けた環状止め具５１の係留リング５１ａに吸気ホース８の略中間部に取り付けたホース取付環５２の鉤状係止片５２ａを係止させることにより、延長パイプ１３の把手１３ａ付近に吸気ホース１２の略中間部が係止されるため、使用者は延長パイプ１３の把手１３ａを持って掃除機本体１の前方を持ち上げることにより、吸気ホース８が邪魔にならず、掃除機本体１を走行用車輪３５により簡単に走行させることができる。このとき、延長パイプ１３の先端側を掃除機本体１の上部で本体移動用ハンドル１ａの横に取り付けられた略Ｕ字状のパイプ挟持片５３に挟持させておくことにより、床用吸込具１４が床面Ｃから離れるため、床用吸込具１４も邪魔にならず、掃除機本体１を走行用車輪３５により簡単に走行させることができる。
【００２６】
なお、上記実施の形態３の吸気ホース１２の一部を保持する保持部材５０は係留リング５１ａを有する環状止め具５１と、鉤状係止片５２ａを有するホース取付環５２とから構成されているが、図１２に示すように延長パイプ１３の把手部１３ａ付近にネジ５４で取り付けた略Ｕ字状の挟持片５５によって保持部材５０を構成しても、吸気ホース１２の一部を保持できることはいうまでもない。また、その略Ｕ字状の挟持片５５を吸気ホース１２に取り付け、延長パイプ１３の把手部１３ａ付近を挟持するようにしてもよい。さらに、保持部材５０が吸気ホース１２と延長パイプ１３の把手１３ａ付近を保持するものであってもよい。
【００２７】
なお、上記実施の形態では、電動送風機５の排気を排気連通口２７から均圧室２６に吹き出し、均圧室２６の浮上排風出口２６ａより床面Ｃに吹き出して掃除機本体１を浮上させるようにしているが、排気連通口２７を排気吹出口として電動送風機５の排気を直接床面Ｃに吹き出すようにしても掃除機本体１を浮上させることができることはいうまでもない。
また、上記実施の形態では、図示しないモータ部と送風ファンよりなる電動送風機５の排気はモータ部だけでなく、送風ファンからも分流させて排気連通口２７へ流すようにすれば、浮上空間Ｓは高温にならず、床面Ｃの変色等が防止できることとなる。さらに、浮上空間Ｓを通過した排気をモータ部を冷却した排気と合流させれば、掃除機本体１の第１の後排気口２０から出る排気を冷却することができる。
【００２８】
また、コードリール室６にはコードリール７の代わりに電動送風機５のモータ部を駆動する充電池を収納するようにしてもよい。
さらに、浮上空間Ｓの排気は浮上排気口２５ｃを経て排気室２５に入り、連通口２５ｂを経て集塵室２に入り、前排気口２２から外部に排出されるようにしているが、吸気パイプ１１や吸気ホース１２及び延長パイプ１３を二重構造にして集塵室２に入った排気をこれらを経て床用吸込具１４に戻し、床用吸込具１４で再び吸い込み、集塵室２に戻すように循環させるようにしてもよい。
【００２９】
【発明の効果】
以上のように本発明によれば、掃除機本体を浮上させる電気掃除機であって、掃除機本体の両側壁に回転自在に取り付けられた走行用車輪はその一部がスカート体の後端及び掃除機本体の下部後端から一部はみ出して取り付けられているので、電気掃除機を使用するために室内の保管場所より清掃場所に掃除機本体を移動させる、或いは掃除終了後に保管場所に移動させる等の場合に、吸気ホースを手で持って掃除機本体の前方を持ち上げて掃除機本体を走行用車輪により走行させることにより、スカート大破床面に接触せず、走行用車輪のみが床面に接触するためにスカート体は床面に接触せず、走行用車輪のみが床面に接触するためにスカート体の摩耗等が生せず、床面に敷居等の段差があっても、掃除機本体は結いに乗り越えることができるという効果がある。
【００３０】
また、掃除機本体のパイプ差込口の下方に掃除機本体の底部前方を覆うソリ部を設けたので、掃除機本体の底部外周全体に垂下するよう取り付けられたスカート体が掃除機本体と床面の敷居等の段差との間に挟まれたとしてもソリ部があるためにスカート体の破れや摩耗がなく、段差も確実に乗り越えることができるという効果がある。
【００３１】
さらに、吸気ホースに移動用操作ハンドルを着脱自在に取り付けので、吸気ホースに取り付けられた移動用操作ハンドルの把手を持って掃除機本体の前方を持ち上げて掃除機本体を走行用車輪により走行させることにより、スカート体は床面に接触せず、走行用車輪のみが床面に接触するためにスカート体の摩耗等が生ぜず、床面に敷居等の段差があっても、掃除機本体は容易に乗り越えることができ、しかも移動用操作ハンドルは吸気ホースに着脱自在であるので、使用者の身長差に応じて吸気ホースに対して移動用操作ハンドルの取り付け位置を簡単に変えることができるため、使用者に対応させて掃除機本体を走行用車輪により走行させることができるという効果がある。
【００３２】
また、延長パイプの把手付近と吸気ホースの一部とを保持する保持部材を設けたので、延長パイプの把手付近と吸気ホースの略中間部とが保持されるため、使用者は延長パイプの把手を持って掃除機本体の前方を持ち上げることにより、吸気ホースが邪魔にならず、掃除機本体を走行用車輪により簡単に走行させることができるという効果がある。
【図面の簡単な説明】
【図１】  本発明の実施の形態１に係る電気掃除機の要部の構成を示す断面図である。
【図２】  同電気掃除機の構成を示す底面図である。
【図３】  同電気掃除機を走行させた状態を示す説明図である。
【図４】  本発明の実施の形態２に係る電気掃除機の吸気ホースの構成を示す平面図である。
【図５】  同電気掃除機の吸気ホースの構成を示す一部を切断した側面図である。
【図６】  同電気掃除機を走行させた状態を示す説明図である。
【図７】  本発明の実施の形態３に係る電気掃除機の延長パイプと吸気ホースの構成を示す平面図である。
【図８】  同電気掃除機の背面の構成を示す背面図である。
【図９】  同電気掃除機の掃除機本体に延長パイプを係止させた状態を示す平面図である。
【図１０】  同電気掃除機の使用状態を示す説明図である。
【図１１】  同電気掃除機を走行させた状態を示す説明図である。
【図１２】  図１２は同電気掃除の吸気ホースの変形例の断面図である。
【図１３】  図１３は従来の電気掃除機の要部の構成を示す断面図である。
【符号の説明】
１  掃除機本体、２  集塵室、２ａ  パイプ差込口、４  電動送風機室、５電動送風機、１１  吸気パイプ、２７  排気吹出口（排気連通口）、３０  スカート体、３２  ソリ部、３５  走行用車輪。
【図１】
0003829272.tif 000002
【図２】
0003829272.tif 000003
【図３】
0003829272.tif 000004
【図４】
0003829272.tif 000005
【図５】
0003829272.tif 000006
【図６】
0003829272.tif 000007
【図７】
0003829272.tif 000008
【図８】
0003829272.tif 000009
【図９】
0003829272.tif 000010
【図１０】
0003829272.tif 000011
【図１１】
0003829272.tif 000012
【図１２】
0003829272.tif 000013
【図１３】
0003829272.tif 000014